(57)【要約】【課題】任意の位置にゴルフボールの自動配置が可能で各機器の情報の一括管理が可能な練習支援システムを実現する。【解決手段】ゴルフ練習所において用いられる練習支援システムにおいて、タッチパネルディスプレイと、ゴルフボールの打撃音を検出するマイクロフォンと、ゴルフボールを配置エリアの任意の位置に配置するボール配置手段と、タッチパネルディスプレイを用いてゴルフボールの配置位置を指定させると共にマイクロフォンで打撃音が検出された場合にボール配置手段を制御して指定された配置位置にゴルフボールを配置させる制御手段とを設ける。【選択図】                    図１
2004357977.tif 000002
【特許請求の範囲】
【請求項１】
ゴルフ練習所において用いられる練習支援システムにおいて、
タッチパネルディスプレイと、
ゴルフボールの打撃音を検出するマイクロフォンと、
前記ゴルフボールを配置エリアの任意の位置に配置するボール配置手段と、
前記タッチパネルディスプレイを用いて前記ゴルフボールの配置位置を指定させると共に前記マイクロフォンで打撃音が検出された場合に前記ボール配置手段を制御して指定された前記配置位置に前記ゴルフボールを配置させる制御手段とを備えたことを特徴とする練習支援システム。
【請求項２】
前記制御手段が、
情報をネットワークを介して管理サーバに通知することを特徴とする
請求項１記載の練習支援システム。
【請求項３】
前記情報が、
前記タッチパネルディスプレイにおいて利用終了操作が行われた場合に計算される利用料金であることを特徴とする
請求項２記載の練習支援システム。
【請求項４】
前記情報が、
前記タッチパネルディスプレイにおいて注文操作が行われた場合の注文内容であることを特徴とする
請求項２記載の練習支援システム。
【請求項５】
前記情報が、
練習支援システムの稼動状況情報若しくは保守情報であることを特徴とする
請求項２記載の練習支援システム。
【請求項６】
前記制御手段が、
前記タッチパネルディスプレイにおいて撮影設定がなされた場合にカメラによりスイング画像を撮影し、画像再生操作により前記タッチパネルディスプレイの画面上に撮影したスイング画像を再生表示させることを特徴とする
請求項１記載の練習支援システム。
【請求項７】
前記制御手段が、
スピーカを用いて音声による利用案内若しくは操作説明を行うことを特徴とする
請求項１記載の練習支援システム。
【請求項８】
バティング練習所における練習支援システムに適用したことを特徴とする
請求項１乃至請求項７のいずれかに記載の練習支援システム。
【請求項９】
ボーリング場における投球支援システムに適用したことを特徴とする
請求項１乃至請求項７のいずれかに記載の練習支援システム。
【発明の詳細な説明】
【０００１】
【発明の属する技術分野】
本発明は、ゴルフ練習所において用いられる練習支援システムに関し、特に任意の位置にゴルフボールの自動配置が可能で各機器の情報の一括管理が可能な練習支援システムに関する。
【０００２】
【従来の技術】
ゴルフ練習所において用いられる練習支援に関連する先行技術文献としては次のようなものがある。
【０００３】
【特許文献１】
特開平０５−２８５２４１号公報
【特許文献２】
特開平０７−１０８０７５号公報
【特許文献３】
特開平０７−２３１９６６号公報
【特許文献４】
特開平０８−２５７１９１号公報
【特許文献５】
特開平０８−２９９５１８号公報
【特許文献６】
特開平０９−１５４９９１号公報
【特許文献７】
特開２００１−２１５６０４号公報
【特許文献８】
特開２００２−０４５４５５号公報
【０００４】
図７はこのような従来のゴルフ練習所において用いられる練習支援システムの一例を示す斜視図である。図７において１はゴルフボールの配置エリア、２はゴルフボールの配置用アーム、３はボールセンサ、４はティー、５はゴルフボールである。また、１〜４は練習支援システム５０を構成している。
【０００５】
配置エリア１の中央部付近にはティー４が設けられ、ボールセンサ３は当該ティー４上のゴルフボールの有無を監視する。また、配置用アーム２は必要に応じてティー４の上にゴルフボールを配置させる。
【０００６】
ここで、図７に示す従来例の動作を図８，図９及び図１０を用いて説明する。図８は練習支援システム５０の専用の制御手段（図７等には図示せず。）の動作を説明するフロー図、図９及び図１０は動作状況を説明する斜視図である。但し、図９及び図１０において符号は図７と同一符号を付してある。
【０００７】
図８中”Ｓ００１”において練習支援システム５０の専用の制御手段（以下、単に制御手段と呼ぶ。）は、球数記録カードが練習支援システム５０のカード挿入口（図示せず。）に挿入されているか否かを判断する。
【０００８】
もし、図８中”Ｓ００１”において球数記録カードが練習支援システム５０のカード挿入口（図示せず。）に挿入されていない、言い換えれば、球数記録カードが取り出されていると判断した場合には、制御手段は動作を終了する。
【０００９】
一方、もし、図８中”Ｓ００１”において球数記録カードが練習支援システム５０のカード挿入口（図示せず。）に挿入されていると判断した場合には、図８中”Ｓ００２”において制御手段はボールセンサ３によりティー４上にゴルフボールが有無を判断する。
【００１０】
例えば、図９中”ＣＨ０１”に示すようにボールセンサ３はティー４上の図９中”ＴＰ０１”に示す部分を監視しているので、制御手段は当該ボールセンサ３からの出力信号に基づきゴルフボール５の有無を判断する。
【００１１】
もし、図８中”Ｓ００２”においてティー４上にゴルフボールが存在すると判断した場合には、制御手段は図８中”Ｓ００１”のステップに戻る。
【００１２】
一方、もし、図８中”Ｓ００２”においてティー４上にゴルフボールが存在しないと判断した場合には、図８中”Ｓ００３”において制御手段は配置用アーム２を制御してゴルフボール５をティー４上に配置させる。
【００１３】
例えば、制御手段は図１０に示すように配置用アーム２を制御してティー４上部に向かって傾斜させ、図１０中”ＳＢ１１”に示すように新しいゴルフボールを配置用アーム２上に転がして、図１０中”ＢＬ１１”に示すようにティー４上にゴルフボールを配置させる。
【００１４】
同時に、図８中”Ｓ００４”において制御手段は球数をカウントアップしてカード挿入口（図示せず。）に挿入されている球数記録カードに記録すると共に図８中”Ｓ００１”に示すステップに戻る。
【００１５】
この結果、図７に示す従来例では球数記録カードが練習支援システム５０のカード挿入口（図示せず。）に挿入されている間は、ティー４の上部のゴルフボールの有無を監視し、ゴルフボールが存在しない場合にはゴルフボールをティー４上に配置すると共に球数をカウントアップして球数記録カードに記録することにより、利用者にゴルフボールを配球すると共に使用した球数を記録することが可能になる。
【００１６】
【発明が解決しようとする課題】
しかし、図７に示す従来例ではボールセンサ３はティー４の上部しか監視していないため、ゴルフボールの配置位置をティー４以外に変更したくても、当該ボールセンサ３を用いる限りにおいては任意の位置にゴルフボールを自動配置することはできないと言った問題点があった。
【００１７】
また、利用者が使用したゴルフボールの球数は球数記録カードに記録されるものの、当該球数記録カードの情報を上位である管理用のコンピュータに読み込ませるまでは、使用球数の一括管理をすることができないと言った問題点もあった。
従って本発明が解決しようとする課題は、任意の位置にゴルフボールの自動配置が可能で各機器の情報の一括管理が可能な練習支援システムを実現することにある。
【００１８】
【課題を解決するための手段】
このような課題を達成するために、本発明のうち請求項１記載の発明は、
ゴルフ練習所において用いられる練習支援システムにおいて、
タッチパネルディスプレイと、ゴルフボールの打撃音を検出するマイクロフォンと、前記ゴルフボールを配置エリアの任意の位置に配置するボール配置手段と、前記タッチパネルディスプレイを用いて前記ゴルフボールの配置位置を指定させると共に前記マイクロフォンで打撃音が検出された場合に前記ボール配置手段を制御して指定された前記配置位置に前記ゴルフボールを配置させる制御手段とを備えたことにより、任意の位置にゴルフボールの自動配置が可能になる。
【００１９】
請求項２記載の発明は、
請求項１記載の発明である練習支援システムにおいて、
前記制御手段が、
情報をネットワークを介して管理サーバに通知することことにより、各機器の情報の一括管理が可能になる。
【００２０】
請求項３記載の発明は、
請求項２記載の発明である練習支援システムにおいて、
前記情報が、
前記タッチパネルディスプレイにおいて利用終了操作が行われた場合に計算される利用料金であることにより、各機器の情報の一括管理が可能になる。
【００２１】
請求項４記載の発明は、
請求項２記載の発明である練習支援システムにおいて、
前記情報が、
前記タッチパネルディスプレイにおいて注文操作が行われた場合の注文内容であることにより、各機器の情報の一括管理が可能になる。
【００２２】
請求項５記載の発明は、
請求項２記載の発明である練習支援システムにおいて、
前記情報が、
練習支援システムの稼動状況情報若しくは保守情報であることにより、各機器の情報の一括管理が可能になる。
【００２３】
請求項６記載の発明は、
請求項１記載の発明である練習支援システムにおいて、
前記制御手段が、
前記タッチパネルディスプレイにおいて撮影設定がなされた場合にカメラによりスイング画像を撮影し、画像再生操作により前記タッチパネルディスプレイの画面上に撮影したスイング画像を再生表示させることにより、利用者は自らのスイングの特徴を画像から把握することができる。
【００２４】
請求項７記載の発明は、
請求項１記載の発明である練習支援システムにおいて、
前記制御手段が、
スピーカを用いて音声による利用案内若しくは操作説明を行うことにより、利用者はタッチパネルディスプレイの表示画面の文字等を読むことなく容易に利用案内に関する情報や操作方法を把握することが可能になる。
【００２５】
請求項８記載の発明は、
請求項１乃至請求項７のいずれかに記載の発明である練習支援システムにおいて、
バティング練習所における練習支援システムに適用したことにより、利用者がタッチパネルディスプレイを操作して投球装置が投げる直球や変化球等の球種の選択及び球速の選択を行い各人が必要な条件でバティング練習を行うことが可能になる。また、利用者がタッチパネルディスプレイを操作してバットスイング画像の撮影を設定し必要に応じてバットスイング画像を撮影してその後バットスイング画像を再生表示させることが可能になる。
【００２６】
請求項９記載の発明は、
請求項１乃至請求項７のいずれかに記載の発明である練習支援システムにおいて、
ボーリング場における投球支援システムに適用したことにより、利用者がタッチパネルディスプレイを操作してボーリングのスコアを表示させたり、また、利用者がタッチパネルディスプレイを操作して投球フォーム画像の撮影を設定し必要に応じて投球フォーム画像を撮影してその後投球フォーム画像を再生表示させることが可能になる。さらに、飲食オーダーの操作が行われた場合にタッチパネルディスプレイの表示画面上にメニューを表示させ、タッチパネルディスプレイにおいて利用者が注文操作を行った場合には、利用者の注文内容をネットワークを介して管理サーバに通知して利用者の注文内容を一括管理することが可能になる。
【００２７】
【発明の実施の形態】
以下本発明を図面を用いて詳細に説明する。図１及び図２は本発明に係るゴルフ練習所において用いられる練習支援システムの一例を示す斜視図及び構成ブロック図である。
【００２８】
図１において１及び４は図７と同一符号を付してあり、６はゴルフボールの配置用アーム、７は集音手段であるマイクロフォン、８はゴルフボール、９は撮影手段であるＣＣＤ（Ｃｈａｒｇｅ−Ｃｏｕｐｌｅｄ  Ｄｅｖｉｃｅｓ）等を用いたカメラ、１０はタッチパネルディスプレイである。また、１，４，６，７，９及び１０は練習支援システム５１を構成している。
【００２９】
配置エリア１の中央部付近にはティー４が設けられ、マイクロフォン７はゴルフボール８の打撃音を検出する。また、配置用アーム６は図１中”ＤＲ２１”若しくは”ＤＲ２２”の方向に移動すると共に必要に応じてティー４の上等の任意の位置にゴルフボール８を配置させる。
【００３０】
また、図２において７，９及び１０は図１と同一符号を付してあり、１１は練習支援システム５１全体を制御する制御手段、１２はタッチパネルディスプレイ１０の側面等に設けられたスピーカ、１３は図１における配置アーム６等により構成され配置エリア１の任意の位置にゴルフボールを配置するボール配置手段である。
【００３１】
図２において、マイクロフォン７及びカメラ９の出力は制御手段１１に接続され、制御手段１１からの音声出力はスピーカ１２に接続される。また、タッチパネルディスプレイ１０の入出力が制御手段１１に相互に接続され、ボール配置手段１３の入出力もまた制御手段１１に相互に接続される。
【００３２】
さらに、図３は各練習支援システム５１を構成する制御手段同士の接続関係を示す構成ブロック図であり、図３において１４，１５及び１６は図２に示す制御手段１１と同様の制御手段、１７は情報等を一括管理する管理サーバ、１００はＬＡＮ（Ｌｏｃａｌ  Ａｒｅａ  Ｎｅｔｗｏｒｋ  ）等の汎用のネットワークである。
【００３３】
図３において制御手段１４，１５及び１６はネットワーク１００によって管理サーバ１７に相互に接続される。
【００３４】
ここで，図１〜図３に示す実施例の動作を図４，図５及び図６を用いて説明する。図４〜図６は練習支援システム５１を構成する制御手段１１の動作を説明するフロー図である。但し、図４〜図６において符号は図１と同一符号を付してある。
【００３５】
第１に、図４中”Ｓ１０１”において制御手段１１はタッチパネルディスプレイ１０において利用者による利用開始操作が行われたか否かを判断する。もし、図４中”Ｓ１０１”において利用開始操作が行われなかったと判断した場合には制御手段１１は動作を終了する。
【００３６】
一方、もし、図４中”Ｓ１０１”において利用開始操作が行われたと判断した場合には、図４中”Ｓ１０２”において制御手段１１はネットワーク１００を介して管理サーバ１７に利用が開始された旨の情報を通知する。
【００３７】
そして、図４中”Ｓ１０３”において制御手段１１はタッチパネルディスプレイ１０において利用者がゴルフボールの配置位置を指定したか否かを判断し、配置位置の指定が完了するまで待機する。
【００３８】
例えば、タッチパネルディスプレイ１０上の配置位置指定画面にはティー４の位置を含む配置エリア１全体が表示され、利用者はゴルフボールを配置したい場所を指等で触れることにより配置位置を指定する。
【００３９】
図４中”Ｓ１０３”においてゴルフボールの配置位置が指定された場合、図４中”Ｓ１０４”において制御手段１１はボール配置手段１３を制御して当該指定された配置位置にゴルフボールを配置する。
【００４０】
具体的には、制御手段１１は指定された配置位置に適合するように配置用アーム６の位置を図１中”ＤＲ２１”若しくは”ＤＲ２２”の方向に移動させると共に配置用アーム６を制御して指定された配置位置に向かって傾斜させ、新しいゴルフボールを配置用アーム６上に転がして指定された配置位置にゴルフボールを配置させる。
【００４１】
そして、図４中”Ｓ１０５”において制御手段１１はマイクロフォン７でゴルフボールの打撃音が検出されたか否かを判断し、マイクロフォン７でゴルフボールの打撃音が検出されるまで待機する。
【００４２】
図４中”Ｓ１０５”においてマイクロフォン７でゴルフボールの打撃音が検出された場合には、図４中”Ｓ１０６”において制御手段１１はタッチパネルディスプレイ１０において利用者による利用終了操作が行われたか否かを判断する。
【００４３】
もし、図４中”Ｓ１０６”において利用終了操作が行われなかったと判断した場合には制御手段１１は図４中”Ｓ１０４”に示すステップに戻る。
【００４４】
一方、もし、図４中”Ｓ１０６”において利用終了操作が行われたと判断した場合には、図４中”Ｓ１０７”において制御手段１１は利用者の利用料金（使用したゴルフボールの球数）を計算してネットワーク１００を介して管理サーバ１７に利用料金を通知する。
【００４５】
第２に、図１〜図３に示す練習支援システム５１では、利用者のスイング画像の撮影及び再生表示を行わせることも可能である。
【００４６】
すなわち、図５中”Ｓ２０１”において制御手段１１はタッチパネルディスプレイ１０において利用者がスイング画像の撮影設定操作を行ったか否かを判断する。もし、図５中”Ｓ２０１”において撮影設定操作が行われなかったと判断した場合には制御手段１１は動作を終了する。
【００４７】
一方、もし、図５中”Ｓ２０１”において撮影設定操作が行われたと判断した場合には、図５中”Ｓ２０２”において制御手段１１はカメラ９を制御して利用者のスイング画像を撮影させる。
【００４８】
図５中”Ｓ２０３”において制御手段１１はタッチパネルディスプレイ１０において利用者がスイング画像の画像再生操作を行ったか否かを判断する。もし、図５中”Ｓ２０３”において画像再生操作が行われなかったと判断した場合には制御手段１１は動作を終了する。
【００４９】
一方、もし、図５中”Ｓ２０３”において画像再生操作が行われたと判断した場合には、図５中”Ｓ２０４”において制御手段１１はタッチパネルディスプレイ１０の画面上に撮影したスイング画像を再生表示させる。
【００５０】
第３に、図１〜図３に示す練習支援システム５１では、飲食オーダー等を行わせることも可能である。
【００５１】
すなわち、図６中”Ｓ３０１”において制御手段１１はタッチパネルディスプレイ１０において利用者が飲食オーダーの操作を行ったか否かを判断する。もし、図６中”Ｓ３０１”において飲食オーダーの操作が行われなかったと判断した場合には制御手段１１は動作を終了する。
【００５２】
一方、もし、図６中”Ｓ３０１”において飲食オーダーの操作が行われたと判断した場合には、図６中”Ｓ３０２”において制御手段１１はタッチパネルディスプレイ１０の画面上に飲食のメニュー等を表示させる。
【００５３】
図６中”Ｓ３０３”において制御手段１１はタッチパネルディスプレイ１０において利用者が注文操作を行ったか否かを判断する。もし、図６中”Ｓ３０３”において注文操作が行われなかったと判断した場合には制御手段１１は動作を終了する。
【００５４】
一方、もし、図６中”Ｓ３０３”において注文操作が行われたと判断した場合には、図６中”Ｓ３０４”において制御手段１１は利用者の注文内容（情報）をネットワーク１００を介して管理サーバ１７に通知する。
【００５５】
この結果、タッチパネルディスプレイ１０において利用者がゴルフボールの配置位置を指定し、マイクロフォン７で打撃音が検出されたことによりゴルフボールの補給の必要性を判断することにより、任意の位置にゴルフボールの自動配置が可能になる。
【００５６】
また、タッチパネルディスプレイ１０において利用者が利用終了操作を行った場合に、制御手段は利用者の利用料金（使用したゴルフボールの球数）を計算してネットワーク１００を介して管理サーバ１７に利用料金（情報）を通知することにより、各機器の情報の一括管理が可能になる。
【００５７】
また、撮影設定がなされた場合にはカメラ９により利用者のスイング画像を撮影し、画像再生操作によりタッチパネルディスプレイ１０の画面上に撮影したスイング画像を再生表示させることにより、利用者は自らのスイングの特徴を画像から把握することができる。
【００５８】
また、飲食オーダーの操作が行われた場合にタッチパネルディスプレイ１０の表示画面上にメニューを表示させ、タッチパネルディスプレイ１０において利用者が注文操作を行った場合には、利用者の注文内容をネットワーク１００を介して管理サーバ１７に通知することにより、利用者の注文内容（情報）を一括管理することが可能になる。
【００５９】
なお、図１〜図３に示す実施例の説明に際しては制御手段１１からの利用料木や注文内容等の情報を管理サーバ１７で一括管理している事例を例示しているが、その他の利用情報、稼動状況情報やメンテナンス情報（保守情報）等を管理サーバ１７で一括管理しても構わない。
【００６０】
また、図１〜図３に示す実施例の説明に際してはスピーカ１２に関する動作説明等をしていないが、利用者に対する音声による利用案内や操作説明等を行う際に当該スピーカ１２を使用することができる。
【００６１】
この場合には、利用者はタッチパネルディスプレイ１０の表示画面の文字等を読むことなく容易に利用案内に関する情報や操作方法を把握することが可能になる。
【００６２】
また、図１〜図３に示す実施例ではゴルフ練習所において用いられる練習支援システムに関して例示しているが、バティング練習所における練習支援システムに適用しても勿論構わない。
【００６３】
例えば、利用者がタッチパネルディスプレイ１０を操作して投球装置が投げる直球や変化球等の球種の選択及び球速の選択を行うことにより、各人が必要な条件でバティング練習を行うことが可能になる。
【００６４】
また、例えば、利用者がタッチパネルディスプレイを操作してバットスイング画像の撮影を設定することにより、必要に応じてバットスイング画像を撮影してその後バットスイング画像を再生表示させることが可能になる。
【００６５】
また、図１〜図３に示す実施例ではゴルフ練習所において用いられる練習支援システムに関して例示しているが、ボーリング場における投球支援システムに適用しても勿論構わない。
【００６６】
例えば、利用者がタッチパネルディスプレイ１０を操作してボーリングのスコアを表示させたり、また、例えば、利用者がタッチパネルディスプレイ１０を操作して投球フォーム画像の撮影を設定することにより、必要に応じて投球フォーム画像を撮影してその後投球フォーム画像を再生表示させることが可能になる。
【００６７】
さらに、例えば、飲食オーダーの操作が行われた場合にタッチパネルディスプレイ１０の表示画面上にメニューを表示させ、タッチパネルディスプレイ１０において利用者が注文操作を行った場合には、利用者の注文内容（情報）をネットワーク１００を介して管理サーバ１７に通知することにより、利用者の注文内容（情報）を一括管理することが可能になる。
【００６８】
【発明の効果】
以上説明したことから明らかなように、本発明によれば次のような効果がある。
請求項１の発明によれば、タッチパネルディスプレイにおいて利用者がゴルフボールの配置位置を指定し、マイクロフォンでゴルフボールの打撃音が検出されたことによりゴルフボールの補給の必要性を判断することにより、任意の位置にゴルフボールの自動配置が可能になる。
【００６９】
また、請求項２，３，４及び請求項５の発明によれば、タッチパネルディスプレイにおいて利用者が利用終了操作を行った場合に、制御手段は利用者の利用料金（使用したゴルフボールの球数）を計算してネットワークを介して管理サーバに利用料金（情報）を通知する等により、各機器の情報の一括管理が可能になる。
【００７０】
また、請求項６の発明によれば、撮影設定がなされた場合にはカメラにより利用者のスイング画像を撮影し、画像再生操作によりタッチパネルディスプレイの画面上に撮影したスイング画像を再生表示させることにより、利用者は自らのスイングの特徴を画像から把握することができる。
【００７１】
また、請求項７の発明によれば、利用者に対する音声による利用案内や操作説明等を行う際にスピーカを使用することにより、利用者はタッチパネルディスプレイの表示画面の文字等を読むことなく容易に利用案内に関する情報や操作方法を把握することが可能になる。
【００７２】
また、請求項８の発明によれば、バティング練習所における練習支援システムに適用したことにより、利用者がタッチパネルディスプレイを操作して投球装置が投げる直球や変化球等の球種の選択及び球速の選択を行い各人が必要な条件でバティング練習を行うことが可能になる。また、利用者がタッチパネルディスプレイを操作してバットスイング画像の撮影を設定し必要に応じてバットスイング画像を撮影してその後バットスイング画像を再生表示させることが可能になる。
【００７３】
また、請求項９の発明によれば、ボーリング場における投球支援システムに適用したことにより、利用者がタッチパネルディスプレイを操作してボーリングのスコアを表示させたり、また、利用者がタッチパネルディスプレイを操作して投球フォーム画像の撮影を設定し必要に応じて投球フォーム画像を撮影してその後投球フォーム画像を再生表示させることが可能になる。さらに、飲食オーダーの操作が行われた場合にタッチパネルディスプレイの表示画面上にメニューを表示させ、タッチパネルディスプレイにおいて利用者が注文操作を行った場合には、利用者の注文内容（情報）をネットワークを介して管理サーバに通知して利用者の注文内容（情報）を一括管理することが可能になる。
【図面の簡単な説明】
【図１】本発明に係るゴルフ練習所において用いられる練習支援システムの一例を示す斜視図である。
【図２】本発明に係るゴルフ練習所において用いられる練習支援システムの一例を示す構成ブロック図である。
【図３】練習支援システムを構成する制御手段同士の接続関係を示す構成ブロック図である。
【図４】練習支援システムを構成する制御手段の動作を説明するフロー図である。
【図５】練習支援システムを構成する制御手段の動作を説明するフロー図である。
【図６】練習支援システムを構成する制御手段の動作を説明するフロー図である。
【図７】従来のゴルフ練習所において用いられる練習支援システムの一例を示す斜視図である。
【図８】練習支援システムの専用の制御手段の動作を説明するフロー図である。
【図９】動作状況を説明する斜視図である。
【図１０】動作状況を説明する斜視図である。
【符号の説明】
１  配置エリア
２，６  配置用アーム
３  ボールセンサ
４  ティー
５，８  ゴルフボール
７  マイクロフォン
９  カメラ
１０  タッチパネルディスプレイ
１１，１４，１５，１６  制御手段
１２  スピーカ
１３  ボール配置手段
１７  管理サーバ
５０，５１  練習支援システム
１００  ネットワーク
【図１】
2004357977.tif 000003
【図２】
2004357977.tif 000004
【図３】
2004357977.tif 000005
【図４】
2004357977.tif 000006
【図５】
2004357977.tif 000007
【図６】
2004357977.tif 000008
【図７】
2004357977.tif 000009
【図８】
2004357977.tif 000010
【図９】
2004357977.tif 000011
【図１０】
2004357977.tif 000012